(57)【要約】【課題】図柄表示装置を有する遊技機において、図柄の視認性を一層向上するのに資する技術を提供する。【解決手段】図柄表示面１１３に配置された複数の図柄構成要素１７１の一部または全部を選択的に表示状態とすることで遊技情報に関する所定の図柄を表示する図柄表示装置１１２を有する遊技機であって、図柄構成要素１７１の全部または一部は、図柄表示面１１３と交差する方向に移動可能に構成されている。【選択図】　　　　図６
2004113493.tif 000002
【特許請求の範囲】
【請求項１】
図柄表示面に配置された複数の図柄構成要素の一部または全部を選択的に表示状態とすることで遊技情報に関する所定の図柄を表示する図柄表示装置を有する遊技機であって、
前記図柄構成要素の全部または一部は、前記図柄表示面と交差する方向に移動可能に構成されていることを特徴とする遊技機。
【請求項２】
請求項１に記載の遊技機であって、前記図柄表示装置は、
前記図柄構成要素の一部または全部を選択的に表示状態とすることで遊技情報に関する所定の図柄を表示する第１の図柄表示状態と、前記図柄構成要素の全部または一部が前記図柄表示面と交差する方向に移動した状態で前記図柄または前記図柄とは異なる図柄を表示する第２の図柄表示状態との間で切り替え可能に構成されていることを特徴とする遊技機。
【請求項３】
請求項１または２に記載の遊技機であって、
前記図柄構成要素は、少なくとも前記図柄表示面と交差する方向に延在しつつ発光可能に構成された側面部を有することを特徴とする遊技機。
【請求項４】
請求項３に記載の遊技機であって、
前記図柄構成要素は光透過性材料にて形成されるとともに光源からの光を透過することで発光可能とされていることを特徴とする遊技機。
【請求項５】
請求項１から４までのいずれかに記載の遊技機であって、
前記遊技情報に関する所定の図柄は、所定の抽選実行条件成立による抽選の結果を遊技者に報知するべく、変動表示の後で停止表示された特別図柄によって規定されるとともに、当該特別図柄を構成する図柄構成要素の全部または一部が、前記図柄表示面と交差する方向に移動することで遊技者側へ突出状に移動して表示されることを特徴とする遊技機。
【請求項６】
請求項１から５までのいずれかに記載の遊技機であって、
前記図柄構成要素は、図柄を構成するべく選択的に表示状態とされるのに連動して、駆動手段により前記図柄表示面と交差する方向に移動されることを特徴とする遊技機。
【請求項７】
請求項１から６までのいずれかに記載の遊技機であって、
二以上の図柄構成要素を前記図柄表示面と交差する方向に一体状に移動させる駆動手段が配置されていることを特徴とする遊技機。
【請求項８】
請求項７に記載の遊技機であって、
あらかじめ設定された特別図柄を構成するための二以上の図柄構成要素が、前記駆動手段を介して、前記図柄表示面と交差する方向に一体状に移動可能とされていることを特徴とする遊技機。
【発明の詳細な説明】
【０００１】
【発明の属する技術分野】
本発明は、図柄表示装置を有する遊技機に関し、詳しくは図柄の視認性が向上された図柄表示装置を有する遊技機に関する。
【０００２】
【従来の技術】
遊技情報に関する図柄を表示する図柄表示装置を有する遊技機の一例が特許文献１（特開２０００−１４０２３０号公報）に開示されている。この遊技機においては、特別図柄を数字の組み合わせで表示するべく、０から９までの各数字を表示するための複数の図柄構成要素（７セグメントとも称呼される）を組み合わせた特別図柄表示部が、特別図柄表示装置に三つ並列して配置されている。各特別図柄表示部では、図柄構成要素の一部または全部を適宜選択的に発光させて表示状態とし、かかる表示状態とされた図柄構成要素の組み合わせによって所望の数字が表示される構成とされている。この特許文献１の図１３では「７」の図柄が３つ並列して表示されている。
【０００３】
上記遊技機における遊技情報に関する特別図柄は、各図柄構成要素を選択的に発光させて表示状態とすることで表示される。従来、図柄構成要素を表示状態とするには、このように図柄構成要素を発光し、あるいは点滅ないし消灯することで行ってきたが、さらに遊技機による遊技の趣向性を追及する場合、図柄の視認性を一層向上し、遊技者の遊興感を増大することが可能な図柄表示技術を構築することが要請される。
【０００４】
【特許文献１】
特開２０００−１４０２３０号公報（段落番号
【００３６】、図１３）
【０００５】
【発明が解決しようとする課題】
本発明は、かかる点に鑑みてなされたものであり、図柄表示装置を有する遊技機において、図柄の視認性を一層向上するのに資する技術を提供することを目的とする。
【０００６】
【課題を解決するための手段】
上記課題を達成するため、各請求項記載の発明が構成される。請求項１に記載の発明によれば、図柄表示面に複数の図柄構成要素が配置された図柄表示装置を有する遊技機が構成される。「図柄構成要素」は、図柄を構成可能な要素を広く包含し、各図柄構成要素が同等の形状を有する単位要素として構成される態様、各図柄構成要素が異なる形状を有する態様を広く含むものとする。また遊技機は、例えばパチンコ、スロットルマシン等の遊技装置を広く包含するものとする。
【０００７】
本発明における前記図柄表示装置では、かかる図柄構成要素の一部または全部を選択的に表示状態とすることで遊技情報に関する所定の図柄が表示される。図柄の表示態様としては、各図柄構成要素を図柄表示面と面一となるよう設定して図柄を表示する態様、図柄表示面に対して凹状あるいは突出状に設定して図柄を表示する態様等を広く包含する。
【０００８】
「図柄表示面」は平面、曲面、段差面など各種の態様を広く包含する。「図柄構成要素の一部または全部を選択的に表示状態とする」とは、典型的には、表示しようとする図柄を構成する図柄構成要素を発色あるいは発光させる形態がこれに該当する。「遊技情報に関する所定の図柄」は、遊技に関する情報を示す文字、図形、記号、あるいは他の可視的符号が広く含まれ、例えば特別遊技状態取得のチャンスを遊技者に与えるべく変動表示状態とされた図柄、あるいは特別遊技状態に移行して固定状態とされた図柄といったように、遊技機における遊技状態を遊技者に提示するための図柄を広く包含するものとする。
【０００９】
本発明においては、前記図柄構成要素の全部または一部は、前記図柄表示面と交差する方向に移動可能に構成される。これにより遊技者にとっては、表示された図柄の全部または一部が、立体的に移動するように見えることになり、従来の図柄表示手法に加えて、さらに立体的な奥行き感を伴った視認性に優れた図柄の表示が可能となり、遊技者に対して新しい趣向性に富んだ図柄表示を提供することが可能となる。
【００１０】
本発明において、図柄の立体的移動による趣向性向上の見地より、「図柄表示面と交差する方向」は、実質的に図柄表示面の法線方向を向く場合、すなわち図柄表示面と直交する場合のみならず、法線方向に対して傾斜した方向を広く包含するものとし、さらに図柄構成要素は、遊技者側に移動する構成、あるいは遊技者から離間する側に移動する構成のいずれも採用し得る。また一度移動してから後退し、さらにかかる移動と後退を繰り返す等といった種々の表示態様が包含される。図柄構成要素の移動速度は遊技状況に応じて適宜設定し、あるいは適宜可変とすることが可能である。
【００１１】
（請求項２に記載の発明）
請求項２に記載の発明によれば、請求項１に記載の遊技機における図柄表示装置につき、図柄構成要素の一部または全部を選択的に表示状態とすることで遊技情報に関する所定の図柄を表示する第１の図柄表示状態が設定される。さらに図柄構成要素の全部または一部が図柄表示面と交差する方向に移動した状態で、上記第１の図柄表示状態で表示された図柄と同一の図柄、あるいはこれと異なる図柄を表示する第２の図柄表示状態が設定されるとともに、第１の図柄表示状態と第２の図柄表示状態との間で切り替え可能に構成される。
【００１２】
第１および第２の図柄表示状態における各表示図柄は、同一であっても異なっていてもよい。双方の図柄表示状態で図形が同一の場合の一例として、例えば、大入賞口が開放する大当たり状態に移行した際に、かかる大当たり状態を表示する特別図柄が遊技者に示された状態のまま、図柄表示装置を第１の図柄表示状態から第２の図柄表示状態に切替えることで、大当たり状態を表示する特別図柄が立体的な奥行き感を伴って移動するように表示させて趣向性を向上するといった利用形態が可能となる。
【００１３】
また双方の図柄表示状態で図形が異なる場合の一例として、例えば、所定の抽選実行状態が成立した場合に第１の図柄表示状態にて抽選実行開始用の特別図柄を表示し、続いて図柄構成要素を適宜選択的に表示状態としながら異なる特別図柄を変動状に表示しつつ、第２の図柄表示状態に切り替えて全部の図柄構成要素を遊技者に向かって迫ってくるように移動させることで抽選結果を待つ遊技者の期待感を一層高めるといった利用形態が可能となる。第１から第２の図柄表示状態への切り替え時間は適宜設定可能であり、さらには図柄構成要素の移動速度を適宜可変とする等の設定が可能である。また第１および第２の図柄表示状態以外に、他の図柄表示状態を設定することも可能である。
【００１４】
（請求項３に記載の発明）
請求項３に記載の発明によれば、請求項１または２に記載の遊技機につき、図柄構成要素は、少なくとも図柄表示面と交差する方向に延在しつつ発光可能に構成された側面部を有するよう構成される。図柄構成要素が表示面から交差して移動しつつ、さらに少なくとも側面部が発光することで、遊技情報に関する図柄の奥行き感のある立体的表示を側面あるいは斜めの方向からも鮮明に視認することが可能となり、遊技の趣向性を一層向上することが可能となる。なお本発明では、図柄構成要素のうちの少なくとも側面部が発光可能であれば足り、遊技者に向かう表面部、あるいはその他の表面部が発光する構成を広く包含する。さらに図柄構成要素の外表面が曲面状に連続的に変化する形態する場合には、当該外表面の一部または全部が発光する構成を広く包含する。
【００１５】
（請求項４に記載の発明）
請求項４に記載の発明によれば、請求項３に記載の遊技機における図柄構成要素は、光透過性材料にて形成される。「光透過性材料」として、典型的には透明または半透明の樹脂材料またはガラス材料がこれに該当する。本発明では、光透過性材料で形成された図柄構成要素内を光源からの光が透過する際の導光作用を介して発光可能とされている。光源の配置場所は、図柄構成要素内部、図柄構成要素表面部あるいは図柄構成要素外のいずれであってもよい。また光源は、各図柄構成要素毎に対応して配置してもよいし、あるいは複数の図柄構成要素に光を照射する光源を設定してもよい。本発明によれば、光源からの光を透過するよう図柄構成要素の材料を適宜選択する構成により、発光状態とされた図柄が奥行き感のある立体的な移動に伴って鮮明に視認可能となり、図柄の視認性・趣向性を一層増大することが可能である。
【００１６】
（請求項５に記載の発明）
請求項５に記載の発明によれば、請求項１から４までのいずれかに記載の遊技機における遊技情報に関する所定の図柄は、所定の抽選実行条件成立による抽選の結果を遊技者に報知するべく、変動表示の後で停止表示された特別図柄（停止図柄とも称呼される）によって規定される。さらに当該停止した特別図柄を構成する図柄構成要素の全部または一部につき、図柄表示面と交差する方向に移動させて、停止した特別図柄（またはその一部）が遊技者側へ突出状に移動して表示されるよう構成する。これにより、変動表示の後で抽選結果を報知する特別図柄が、立体的な奥行き感を伴いつつ遊技者側へ迫ってくるように表示されることが可能となり、遊技の趣向性が向上されることとなる。
【００１７】
（請求項６に記載の発明）
請求項６に記載の発明によれば、請求項１から５までのいずれかに記載の遊技機における図柄構成要素は、図柄を構成するべく選択的に表示状態とされるのに連動して図柄表示面と交差する方向に移動される。かかる移動動作は駆動手段によって行われる。駆動手段としては、例えば図柄構成要素に接続されたソレノイドやモータ等が好適に採用可能である。図柄構成要素が選択的に表示状態とされるのに連動して図柄表示面と交差する方向に移動することにより、恰も表示される図柄が表示面に対して奥行きを伴って立体的に表示可能となるため、図柄の視認性を一層向上することが可能となる。
【００１８】
（請求項７に記載の発明）
請求項７に記載の発明によれば、請求項１から６までのいずれかに記載の遊技機において、二以上の図柄構成要素につき、図柄表示面と交差する方向に一体状に移動させる駆動手段が配置される。駆動手段は例えばソレノイドを用いて構成するのが好ましい。かかる駆動手段は、二以上の図柄構成要素を一体状に移動させることが可能であり、個々の図柄構成要素に対応して駆動手段を配置する必要が無く、図柄表示装置の構造を簡便なものとすることができる。
【００１９】
（請求項８に記載の発明）
請求項８に記載の発明によれば、上記請求項７に記載の遊技機における駆動手段は、あらかじめ設定された特別図柄を構成するための二以上の図柄構成要素につき、図柄表示面と交差する方向に一体状に移動するよう構成される。例えば変動表示の後で停止した特別図柄を立体状に移動させる際に、図柄構成要素毎に移動タイミングを同期するといった手間が不要であり、簡便にして正確度の高い立体的な図柄表示が可能とされる。
【００２０】
【発明の実施の形態】
以下、本発明の実施の形態に係るパチンコ機１０１につき図面を参照しつつ詳細に説明する。パチンコ機１０１は、本発明における「遊技機」の一例である。本実施の形態に係るパチンコ機１０１の遊技盤１０３の表面に形成された遊技領域１０３ａには、図柄表示装置１０５、第１種始動口１０７および大入賞口１０９が、特に図示しない誘導釘、風車、アタッカ装置、役物装置といった周知の要素とともに、それぞれ適所に配置されている。第１種始動口１０７には、便宜上特に図示しない始動口センサ（図２において符号１３７で示される）が設定され、当該始動口センサによって第１種始動口１０７にパチンコ球が入賞したことが検出される。パチンコ球が第１種始動口１０７に入賞すると、後述するように、図柄表示装置１０５において特別図柄の変動表示が行われるとともに、遊技盤１０３の裏面側に配置された賞球装置（図２において符号１３３で示される）から所定数のパチンコ球が払い出される。
【００２１】
大入賞口１０９には開閉蓋１１１が設けられ、所定の遊技条件が成立することにより、ソレノイド（図２において符号１３９で示される）を介して開閉動作する。本実施の形態における開閉蓋１１１は、ソレノイドによって開放状態とされると、開放開始より３０秒間経過し、あるいは１０個のパチンコ球が入賞するまでのいずれかの条件が満たされるまで当該開放状態が維持される。
【００２２】
図柄表示装置１０５には、後述する特別図柄を表示するための機構が設定された図柄表示部１１２が三つ並列状に配設されている。なお図１では、各図柄表示部１１２に表示されるべき図柄は便宜上省略されている。各図柄表示部１１２には、例えばパチンコ球が第１種始動口１０７へ入賞するといった所定の遊技条件が成立した場合に、特別図柄が変動状に表示される。図柄表示部１１２に変動表示される特別図柄は、変動停止時の表示態様に基づいて特別遊技状態（例えば大入賞口１０９が開放された大当たり状態）への移行を遊技者に報知する。
【００２３】
本実施の形態に係るパチンコ機１０１は、さらに上記遊技盤１０３の下方に配置され、賞球ないし貸球といった多数のパチンコ球を貯留する上皿１１５を有する。上皿１１５の背面側には、例えば、パチンコ球入賞時の効果音や図柄表示面１１３に特別図柄を変動表示する際の効果音を生じさせるためのスピーカ１１７が配置されている。さらに上皿１１５の下部には、発射ハンドル装置１１８、上皿１１５から送られるパチンコ球を貯留するための下皿１１９、灰皿１２０等の周知の構造物が適宜配設されている。
【００２４】
本実施の形態に係るパチンコ機１０１の電装システムが図２に模式的に示される。図２に示すように、本実施の形態に係るパチンコ機１０１は、概略的に見て、ＡＣ電源に接続された電源装置１２１に中継基板１２３を介して接続されたメイン制御部１２５を主体として構成される。メイン制御部１２５内には、特に図示しないもののＣＰＵ、メモリ、入力処理回路および出力処理回路が適宜設定されている。さらにメイン制御部１２５には、入賞球センサ１３５および上記始動口センサ１３７が接続され、各センサ１３５，１３７からの検知信号が適宜入力される。またメイン制御部１２５には、ソレノイド１３９、表示制御部１３１、音制御部１２９、賞球制御部１２７がそれぞれ接続されている。
【００２５】
ソレノイド１３９は、メイン制御部１２５内に設けられた出力処理回路（特に図示しない）からの駆動制御信号に基づいて適宜励磁・非励磁状態を切り替えることにより、上述のように図１に示す大入賞口１０９の開閉駆動を行う。表示制御部１３１は、メイン制御部１２５内に設けられた通信制御回路（特に図示しない）からの制御信号に基づいて図柄表示装置１０５の駆動制御を行う。なお図柄表示装置１０５における図柄表示の態様については詳細に後述する。音制御部１２９は、同じくメイン制御部１２５内に設けられた通信制御回路からの制御信号に基づいて上記スピーカ１１７の音声出力を制御する。
【００２６】
賞球制御部１２７は、特に図示しないものの内部にＣＰＵおよび入出力ポート等を備え、電源装置１２１から電源供給を受けて駆動されるとともに、入賞球センサ１３５や始動口センサ１３７からの検出信号を受けたメイン制御部１２５から適宜賞球制御信号を受けて、賞球装置１３３における賞球の払い出し制御を適宜行う。さらにメイン制御部１２５は、パチンコ機１０１を設置した遊技ホールに設けられたホールコンピュータ１４１に接続され、例えば大当たりの回数等といった遊技に関する営業情報を適宜出力する。
【００２７】
次にパチンコ機１０１の図柄表示装置１０５の詳細について説明する。図柄表示装置１０５を構成する図柄表示部１１２の構成が図３および図６までに具体的に示される。なお上記のように、図柄表示装置１０５の図柄表示部１１２は、三つ並列状に配設されて構成されるが、各図においては、説明の便宜のため、三つの並列状の図柄表示部１１２のうちの一つのみを示している。図３に示すように、図柄表示部１１２は、平面状の図柄表示面１１３を有する。図柄表示面１１３には、特別図柄を表示するための図柄構成用のセグメント１７１が配設されている。本実施の形態では、アラビア数字の「８」が構成されるように、合計７個のセグメント１７１ａ〜１７１ｇが図柄表示面１１３上に配設され、例えば「７セグメント」等とも称呼される。各セグメント１７１は、本発明における「図柄構成要素」に対応する部材である。
【００２８】
図４に示すように、各セグメント１７１は、図柄表示面１１３と直交する方向に延在し、表示面１７３と側面１７５とを有するように半透明状の樹脂材を用いて成形されている。詳細については後述するが、各セグメント１７１は、その表示面１７３が図柄表示面１１３と概ね面一状態となる第１の図柄表示位置から、図柄表示面１１３に穿設されたセグメント通過孔１１３ａを通じて、図柄表示面１１３と直交状に突出した第２の図柄表示位置へと移動可能に構成される。同様に詳細については後述するが、各セグメント１７１の後方にはＬＥＤがそれぞれ配置され、当該ＬＥＤを光源として半透明状のセグメント１７１は、表示面１７３および側面１７５を含む外表面全体が発光可能とされている。
【００２９】
図４では、セグメント１７１ａ，１７１ｂ，１７１ｃ，１７１ｄについては図柄表示面１１３から突出した状態とされ、セグメント１７１ｅ，１７１ｆ，１７１ｇについては図柄表示面１１３から突出しない状態とされ、これによって特別図柄としてアラビア数字の「７」が表示されている。なお図３、図４においては、理解を容易にするため、突出したセグメント１７１の表示面１７３にハッチングを施している。第２の図柄表示位置では、セグメント１７１の表示面１７３のみならず側面１７５も図柄表示面１１３から突出するので、遊技者は、側面１７５を図柄の奥行き感として把握し、セグメント１７１を立体的に視認することができる。
【００３０】
図５に示すように、各セグメント１７１は、セグメント駆動用ソレノイド１７７を介し、図柄表示面１１３と交差して直交する側に突出状に移動可能とされる。具体的には、各セグメント１７１ａ〜１７１ｇに対応して、合計７個のセグメント駆動用ソレノイド１７１が図柄表示面１１３側にそれぞれ固設状に配置される。
各セグメント駆動用ソレノイド１７１は、図柄表示面１１３と直交状に伸縮する作動部１８１を有する。各セグメント駆動用ソレノイド１７１は、図２に示すメイン制御部１２５からの制御信号を通じて表示制御部１３１が駆動制御信号を発し、これによって励磁または非励磁状態とされることで駆動制御される。
【００３１】
一方、各セグメント１７１は、その奥側端部（図５では右側端部）に係合部１７９が形成されるとともに、当該係合部１７９がセグメント駆動用ソレノイド１７１の作動部１８１に連結される。作動部１８１が図柄表示面１１３から離反する方向に伸長動作した場合（図５においては右側）、セグメント１７１は、その表示面１７３が図柄表示面１１３と概ね面一状となる第１の図柄表示状態とされる。図５および図６では、セグメント１７１ｅ，１７１ｇがこれに該当する。一方、作動部１８１が図柄表示面１１３に向かう方向に縮小動作した場合（図５においては左側）、セグメント１７１は、その表示面１７３が図柄表示面１１３から直交状に突出した第２の図柄表示状態とされる。図５および図６では、セグメント１７１ａ，１７１ｂがこれに該当する。なお図柄表示面１１３と直交する方向への各セグメント１７１の移動動作は、セグメント通過孔１１３ａに連接状に形成されたスライドガイドレール１９１によって円滑にガイドさる。
【００３２】
なお図示の便宜上、図５および図６では、セグメント１７１ａについては、その係合部１７９ａを示す一方、対応するセグメント駆動用ソレノイド１７１の図示を省略している。またセグメント１７１ｂについては、その係合部１７９ｂ，対応するセグメント駆動用ソレノイド１７７ｂ、および係合部１７９ｂに係合した作動部１８１ｂが示されている。
【００３３】
また各セグメント１７１の後方側（図５においては各セグメント１７１の右側）には、各セグメント１７１それぞれに対応して合計７個のＬＥＤ１８３が配置されている。図５および図６では、このうちセグメント１７１ａ，１７１ｇ，１７１ｅに対応するＬＥＤ１８３ａ，１８３ｇ，１８３ｅが示されている。各ＬＥＤ１８３は、図２に示すメイン制御部１２５を介して表示制御部１３１が適宜通電信号を発することにより、発光あるいは非発光状態となるよう制御される。ＬＥＤ１８３が発光すると、半透明状に形成された対応セグメント１７１は、ＬＥＤ１８３の光を透過し、表示面１７３および側面１７５を含む外表面がＬＥＤと同色に発光するよう構成される。
【００３４】
本実施の形態に係るパチンコ機１０１は上記のように構成される。次に当該パチンコ機１０１の作用について説明する。図１に示すパチンコ機１０１において、発射ハンドル装置１１８を介し、遊技盤１０３表面の遊技領域に射出されたパチンコ球が第１種始動口１０７に入賞すると、当該入賞球が図２に示す始動口センサ１３７（図２参照）によって検出される。これにより始動口センサ１３７からの検出信号がメイン制御部１２５に送られる。メイン制御部１２５は、賞球制御部１２７に制御信号を出力し、当該賞球制御部１２７は第１種始動口１０７への入賞に応じた数の賞球を賞球装置１３３に払い出させる。またこの賞球払い出し情報はホールコンピュータ１４１に対しても出力される。なお第１種始動口１０７への入賞は、本発明における「所定の抽選条件成立」に対応している。
【００３５】
さらにメイン制御部１２５は表示制御部１３１に制御信号を出力し、これにより図柄表示装置１０５は、図１に示す並列状に配置された三つの図柄表示部１１２それぞれに表示された特別図柄の変動表示を開始する。本実施の形態における特別図柄の変動表示は、７つのセグメント１７１ａ〜１７１ｇにつき、対応するＬＥＤ１８３ａ〜１８３ｇを介して、選択的に発光ないし非発光状態とすることで行う。発光状態とされたセグメント１７１は、本発明における「表示状態とされた図柄構成要素」に対応する。これにより、各図柄表示部１１２では、アラビア数字の「０」から「９」までの１０種類の特別図柄が変動状に表示されることとなる。この時、各セグメント１７１ａ〜１７１ｇは、表示面１７３が図柄表示面１１３と概ね面一とされた第１の図柄表示状態に置かれている。
【００３６】
特別図柄の変動表示が所定時間行われると、図２に示す表示制御部１３１は、メイン制御部１２５を介して変動停止制御を行う。これにより図柄表示面１１３にて変動状とされていた各特別図柄が停止する。三つ並設された各特別図柄が全て「７」で停止した場合、大当たり状態と規定される。かかる大当たり状態は、本発明における「所定の抽選実行条件成立による抽選の結果」に対応する。このとき、特別図柄「７」を表示するべく、図３および図４に示すセグメント１７１ａ，１７１ｂ，１７１ｃ，１７１ｄは発光状態とされ、他のセグメント１７１ｅ，１７１ｆ，１７１ｇは非発光状態とされている。
【００３７】
停止した特別図柄に基づいて大当たり状態となった場合、特別図柄「７」を表示するために発光されたセグメント１７１ａ〜１７１ｄは、対応するセグメント駆動用ソレノイド１７７ａ〜１７７ｄを介して、図４に示すように、図柄表示面１１３と直交しつつ遊技者の側へと突出状に移動される。このとき半透明状に成形された各セグメント１７１は、表示面１７３のみならず側面１７５も発光した状態で突出することとなる。この結果、三つ並列した特別図柄「７」が、恰も奥行きを伴った立体的な表示状態にて各図柄表示面１１３から遊技者の側へと迫ってくるように表示され、しかも特別図柄「７」を構成する各セグメント１７１は、遊技者に向かう表示面１７３および側面１７５がＬＥＤ１８３によって発光状態とされているので、特別図柄を鮮明に表示し、遊技者への良好かつ迫力のある視認性を確保することが可能となる。また、少なくともセグメント１７１の側面１７５の発光により、遊技者が図柄表示面１１３に真っ直ぐに向かって面していない場合であっても、当該側面１７５の発光状態を容易に視野に入れることが可能となるため、斜め方向からの視認性を大きく向上することにも資する。
【００３８】
本実施の形態によれば、特別図柄を構成するセグメント１７１が、発光しつつ図柄表示面１１３から遊技者に向かうことにより、従来のようにセグメントを単に点灯、点滅あるいは消灯することで表示していた特別図柄につき、図柄表示面１１３と交差する方向への移動および側面１７５の発光という更に新しい形態を加えて遊技者に表示することが可能となる。しかも図柄表示部１１２あるいは図柄表示面１１３ごと突出させるのではなく、特別図柄のみ（あるいは特別図柄の一部のみ）を図柄表示面１１３と交差する方向に移動する構成とされており、これにより図柄の視認性を一層向上し、視認性に優れた図柄の表示技術が構築されることとなった。
【００３９】
なお本実施の形態では、セグメント１７１を半透明状の樹脂材で形成したが、これを透明状の樹脂材またはガラス材、半透明状のガラス材で形成する構成を適宜採用してもよい。またＬＥＤ１８３という外部光源を用いてセグメント１７１を発光させたが、例えばセグメント１７１自体が光源として発光する形態を採用することも可能である。
【００４０】
（変更例）
本実施の形態に係る変更例が図７および図８に示される。この変更例は、上記図柄表示部１１２におけるセグメント１７１の移動動作形態の変更に関する。従って変更に係る要素のみについて説明し、他の要素については上記実施の形態と実質的に同等であるため、詳細な説明を省略する。図７および図８に示すように本変更例に係る図柄表示部２１２では、選択的に発光状態とされることで、「０」から「９」までの１０種類の特別図柄を表示可能な各セグメント２７１ａ〜２７１ｇまでのうち、特別図柄「７」を構成するセグメント２７１ａ〜２７１ｄについては、特に図示しない単一のセグメント駆動用ソレノイドに一体状に接続されている。
【００４１】
特に図示しないものの、上記変更例に係る図柄表示部２１２では、通常の遊技状態および特別図柄の変動表示が行われている状態では、各セグメント２７１の表示面が図柄表示面２１３と概ね面一となるように設定されている。従って変動図柄は、図柄表示面２１３と交差する方向へのセグメントの移動を伴わずに表示される。一方、変動表示されていた三つの並列状の特別図柄がいずれも「７」で停止した場合には、当該特別図柄「７」を構成するセグメント２７１ａ〜２７１ｄは、一つのセグメント駆動用ソレノイドを介し、発光状態とされたまま図柄表示面２１３から突出状に移動動作する。これにより、大当たり状態となったことを特別図柄の発光および図柄表示面２１３からの突出を介しして遊技者に報知する場合、各セグメント１７１毎に駆動用のソレノイドを配置する必要がなく、図柄表示部２１２の構造を簡便なものとすることが可能である。
【００４２】
上記変更例では、特別図柄「７」を構成する２７１ａ〜２７１ｄを、駆動用ソレノイドを介して一体状に突出させる構成を採用したが、全てのセグメント２７１ａ〜２７１ｇを一体状に突出させる構成を採用してもよい。
【００４３】
さらに他の変更形態として、
（態様１）
「請求項１から８までのいずれかに記載の遊技機であって、
前記遊技情報に関する所定の図柄は、所定の抽選実行条件成立によって変動表示される複数の特別図柄によって規定されるとともに、
当該変動表示における一の特別図柄が他の特別図柄に切り替えられることに連動して、前記図柄構成要素の一部または全部が前記図柄表示面と交差する方向に移動されることを特徴とする遊技機。」
【００４４】
このように構成することで、特別図柄の変動表示の際に、特別図柄の切り替えに連動して、特別図柄が立体的に移動するように表示されるため、抽選結果を待つ遊技者の期待感を一層高め、遊技の趣向性を増大することが可能となる。
【００４５】
（態様２）
「態様１において、変動表示の進行に伴って前記特別図柄の変動表示速度が減少した際に、当該変動表示における一の特別図柄が他の特別図柄に切り替えられることに連動して、前記図柄構成要素の一部または全部が前記図柄表示面と交差する方向に移動されることを特徴とする遊技機。」
【００４６】
このように構成すれば、上記態様１の効果に加えて、特に変動表示末期の、抽選結果が知らされる直近の特別図柄の表示を一層趣向性高く行うことが可能となる。
【００４７】
（態様３）
「請求項１から８までのいずれか、または態様１または２のいずれかに記載の遊技機であって、
前記図柄構成要素は、表示状態および非表示状態のいずれの状態にあるかとは無関係に、前記図柄表示面と交差する方向に移動されることを特徴とする遊技機。」
【００４８】
このように構成すれば、例えば特別図柄が変動表示される際に、いずれ停止するであろう特別図柄が、表示状態とされる前から立体的に示され、遊技者に抽選結果を予期させる等といった趣向性に富んだ遊技形態を構築することが可能となる。「表示状態および非表示状態のいずれの状態にあるかとは無関係に」については、表示される図柄と、立体状に移動される図柄とが一致しない形態をも包含する趣旨である。具体的な一例として、例えば図柄構成要素を適宜発光させて表示状態としつつ、特別図柄がアラビア数字の「０」「１」「２」「３」「４」「５」「６」「７」・・・・と連続状に変動して表示される場合に、あらかじめ特別図柄「７」を構成する図柄構成要素のみを図柄表示面から突出させておくことにより、いずれ停止する際の特別図柄が「７」であることを遊技者に予期させるといった遊技形態がこれに該当する。このように構成すれば、特別図柄変動表示の際の停止図柄の予告機能を付与することが可能となる。
【００４９】
（態様４）
「請求項１から８までのいずれか、または態様１から３までのいずれかに記載の遊技機であって、
前記図柄構成要素は、前記遊技情報に関する所定の図柄を構成する多数のドット状の単位要素、あるいは当該図柄とその背景部分とを構成する多数のドット状の単位要素で規定されることを特徴とする遊技機。」
【００５０】
このように構成すれば、比較的細目状の図柄構成単位を基準として、描画能力の高い図柄を立体移動表示することができ、例えば図柄表示の迫真性を増すような表示形態が容易に構築可能となる。
【００５１】
【発明の効果】
本発明によれば、図柄表示装置を有する遊技機において、図柄の視認性を一層向上するのに資する技術が提供されることとなった。
【図面の簡単な説明】
【図１】本発明の実施の形態である遊技機の全体構成を正面視にて示す。
【図２】本実施の形態に係る遊技機のシステム構成を示すシステムブロック図である。
【図３】本実施の形態における図柄表示部の構成を示す部分的正面図である。
【図４】図柄表示部の構成を示す斜視図である。
【図５】図３におけるＡ−Ａ線断面図である。
【図６】図３におけるＡ−Ａ線断面を含む図柄表示部の斜視図を示す。
【図７】本実施の形態の変更例の構成を示す側面図である。
【図８】図７に示す図柄表示部の構成を示す斜視図である。
【符号の説明】
１０１　パチンコ機
１０３　遊技盤
１０５　図柄表示装置
１０７　第１種始動口
１０９　大入賞口
１１１　開閉蓋
１１２　図柄表示部
１１３　図柄表示面
１１３ａ　セグメント通過孔
１１５　上皿
１１７　スピーカ
１１８　発射ハンドル装置
１１９　下皿
１２１　電源装置
１２３　中継基板
１２５　メイン制御部
１２７　賞球制御部
１２９　音制御部
１３１　表示制御部
１３３　賞球装置
１３５　入賞球センサ
１３７　始動口センサ
１３９　ソレノイド
１４１　ホールコンピュータ
１６１　停止図柄
１７１　図柄構成用セグメント（図柄構成要素）
１７１ａ〜ｇ　各セグメント
１７３　セグメント表示面
１７５　セグメント側面
１７７　セグメント駆動用ソレノイド
１７９　係合部
１８１　ソレノイド作動部
１８３　ＬＥＤ
１９１　スライドガイドレール
【図１】
2004113493.tif 000003
【図２】
2004113493.tif 000004
【図３】
2004113493.tif 000005
【図４】
2004113493.tif 000006
【図５】
2004113493.tif 000007
【図６】
2004113493.tif 000008
【図７】
2004113493.tif 000009
【図８】
2004113493.tif 000010